(57)【要約】      （修正有）【課題】手術室内などで大量の患者データを取得して評価ユニットへ送信するためのケーブル配線は複雑であり外科医や臨床スタッフの自由を奪う。【解決手段】患者監視装置は、一人の患者のための１つ以上の変換器、一人の患者のための１つの送信装置、およびそれらから離れた場所にあり、１つの評価ユニットが接続される１つの受信装置を備える。送信ユニットはメモリを有し、１つの識別コードを記憶する。受信ユニットはメモリを有し、１つの識別コードをそのメモリに入力するのに使う１つのキーパッドを有する。送信ユニットおよび受信ユニット間の１つの無線リンクは、識別コードが同一であるときのみに設定され、もし無線リンクが１つの所定期間遮断されたら、受信ユニット中の識別コードは自動的に抹消され、適切な識別コードが受信ユニットに再入力された後にのみ再び設定され得る。無線リンクは、ブルートゥース・プロトコル上で動作する。【選択図】図１
2005253981.tif 000002
【特許請求の範囲】
【請求項１】
１つの患者監視装置であって、
１つの識別コードを入力するための１つの入力装置を有する１つの受信ユニットであって、前記受信ユニットが前記入力識別コードを記憶するための１つのメモリを有する前記受信ユニットと、
一人の患者用の１つの送信ユニットであって、１つの独自の識別コードを記憶する前記送信ユニットであって、測定データを前記受信ユニットへ１つの無線リンクを介して送信する送信ユニットと、
前記患者のための１つ以上の変換器であって、前記送信ユニットに接続される１つ以上の変換器と、
を備え、
前記送信ユニットおよび前記受信ユニットが、前記送信ユニットおよび前記受信ユニット中の識別コードが同一であるときのみ設定される１つの接続を両者間に持つ、
患者監視装置。
【請求項２】
前記受信ユニット中に記憶された識別コードが、前記送信ユニットと前記受信ユニットとの間の前記無線リンク上障害が発生すると所定期間より長く抹消され、識別コードが前記受信ユニットに再び入力された後でのみ１つの接続が再び設定されうる、請求項１に記載の患者監視装置。
【請求項３】
前記送信ユニットおよび前記受信ユニットが、それぞれ、個別の１つのブルートゥース・モジュールを有し、前記送信ユニットと前記受信ユニットとの間の前記無線リンクが前記ブルートゥース・プロトコルに基づいている、請求項１に記載の患者監視装置。
【請求項４】
前記送信ユニットおよび前記受信ユニットが、それぞれ、個別の１つのマイクロプロセッサおよび前記マイクロプロセッサに接続された個別の１つ以上のメモリを有し、前記マイクロプロセッサが前記メモリ中に記憶された複数のプログラムを使用し能動的にリクエストを送信する前記受信ユニットと受動的に複数のリクエスト信号の受信を待ち、前記受信後にのみ１つの能動的送信モードに変わる前記送信ユニットとの前記無線リンクを設定するために１つのフローを制御する、請求項１に記載の患者監視装置。
【請求項５】
前記送信ユニットが、前記１つ以上の変換器によってピックアップされ、かつ前記受信ユニットにパケット毎に複数の所定時間間隔で送信される１つのメモリ・バッファ記憶データを有する、請求項１に記載の患者監視装置。
【請求項６】
前記送信ユニットが、前記１つ以上の変換器によってピックアップされ、かつ前記受信ユニットにパケット毎に複数の所定時間間隔で送信される１つのメモリ・バッファ記憶データを有し、前記送信ユニット中の前記ブルートゥース・モジュールが複数のデータ・パケットを送信されない複数の時間間隔で複数の送信に対して不活性化される、請求項３に記載の患者監視装置。
【請求項７】
前記データ・パケットが測定データに加えて制御データを備える、請求項５に記載の患者監視装置。
【請求項８】
前記送信ユニットが１つの充電電池、および前記充電電池の１つの充電状態を監視し、制御データとして前記受信ユニットに送信される対応の充電電池監視データを発生する１つの監視回路を有する、請求項７に記載の患者監視装置。
【請求項９】
前記送信ユニットおよび前記受信ユニットが、それぞれ、所定の動作状態の信号を送るための、個別の同じ表示灯を有する、請求項１に記載の前記患者監視装置。
【請求項１０】
前記送信ユニットおよび前記受信ユニットが、それぞれ、前記無線リンクを遮断し、かつ前記受信ユニット中に記憶される識別コードを抹消する１つ以上の個別の同じキーを有する、請求項１に記載の患者監視装置。
【請求項１１】
前記送信ユニット中の前記独自の識別コードが、厳格に工場で規定されており、かつ前記受信ユニットの前記入力装置が１つのキーパッドである、請求項１に記載の患者監視装置。
【請求項１２】
前記送信ユニットおよび前記受信ユニットが、それぞれ、１つの共通データ記憶媒体から識別コードを読み込むための個別の１つの入力装置を有する、請求項１に記載の患者監視装置。
【請求項１３】
前記共通データ記憶媒体が１つの磁気カードである、請求項１２に記載の患者監視装置。
【請求項１４】
前記共通データ記憶媒体が１つのチップ・カードである、請求項１２に記載の患者監視装置。
【発明の詳細な説明】
【技術分野】
【０００１】
本発明は、一人の患者のための送信ユニットを有する１つの患者監視装置に関する。
【背景技術】
【０００２】
送信ユニットは、測定データを１つの無線リンクを介して１つの受信ユニットに送信する。
患者用の１つ以上の変換器が送信ユニットに接続される。
【０００３】
このタイプの１つの装置は、特許文献１に対応する未審査の特許文献２から公知である。該明細書は、一人の患者の血圧を侵襲的に測定するための、１つのサポート部に固定できる複数の圧力変換器を提供する。圧力変換器から測定されたデータは、サポート部から１つの単一共通送信装置の使用を介して１つのモニタに送信される。その構成で、信号送信装置は、１つのケーブル、またはサポート部上およびモニタ上の受信機上にある１つの送信機を備える１つの無線信号送信装置でもよい。
【０００４】
該データを無線的に１つの信号受信機に送信する患者データの監視用の測定装置、例えば１つのモニタは、未審査の特許文献３、特許文献４に対応する特許文献５、特許文献６および特許文献７、特許文献８、特許文献９および特許文献１０に対応する特許文献１１、特許文献１２に対応する特許文献１３、および特許文献１４に対応する特許文献１５より公知であるなお、いくつかの明細書にはブルートゥース・プロトコルに基づいて送信される無線リンク上の信号が含まれている。
【特許文献１】米国特許第６１３９５０３号明細書
【特許文献２】独国特許出願公開第１９８５１２７６Ａ１号明細書
【特許文献３】独国特許出願公開第ＤＥ１０００９５９１Ａ１号明細書
【特許文献４】米国特許第５４８２０４９号明細書
【特許文献５】欧州特許第０６６７２３８１Ｂ１号明細書
【特許文献６】米国特許出願公開第２００１／００４７１２５Ａ１号明細書
【特許文献７】米国特許第２００２／００１３６１４Ａ１号明細書
【特許文献８】米国特許出願公開第２００４／０１６２４６６Ａ１号明細書
【特許文献９】米国特許出願公開第２００４／００３０２２６Ａ１号明細書
【特許文献１０】米国特許出願公開第２００１／００４７１２５Ａ１号明細書
【特許文献１１】国際公開第０１／４５０１４Ａ１号パンフレット
【特許文献１２】米国特許出願公開第２００２／００１３６１４Ａ１号明細書
【特許文献１３】国際公開第０１／９７９０７Ａ２号パンフレット
【特許文献１４】米国特許出願公開第２００２／０１１５９１４Ａ１号明細書
【特許文献１５】国際公開第０２／０６４０３２Ａ２号パンフレット
【発明の開示】
【発明が解決しようとする課題】
【０００５】
公知のブルートゥース・プロトコルは、約１０ｍまでのショート・レンジ無線リンクに適し、通常、２．４０２ＧＨｚから２．４８０ＧＨｚの１つの周波数レンジで動作し、１ＭＨｚ（”周波数ホッピング”法）の１つの各インタバルで７９ステップで一秒につき１６００回の１つの周波数変化を行う。その方法の複数の利点は、特に、電力消費が低い点と、障害に対して影響を受けないために送信が安全な点である。これは、１つの部屋の中で複数の器具を運転することがまた可能であることを意味する。赤外線信号を使う送信と対照的に、送信機と受信機との間に１つの直線見通しを持つ必要がない。送信電力が非常に低いので、他の電子器具が妨害されるリスクが存在しない。
【０００６】
医療技術において、とりわけ手術室内および集中治療病棟においては、大量の患者データを連続的に得て、１つのモニタのような１つの評価ユニットへ送信する必要がある。このことによって、複雑な”ケーブリング”が必要となる。この”ケーブリング”は、接続や敷設が複雑なだけではなく、外科医や臨床スタッフの動作の自由を制限し、さらに不注意にもケーブルが断線したり、入れ替わってしまったり、破損したり、さらには、腐食の兆候が現れることもあるなどのリスクが伴い、患者を危険な状況にさらしてしまう。この点からして、無線送信、特にブルートゥース法を使うことは、著しい利点を有する。それにもかかわらず、１つの手術室または１つの集中治療室中で、ブルートゥース・プロトコルを使って一人の患者の測定装置から１つの評価ユニットへ無線送信を遂行しうるためには、具体的な複数の問題を解決することが必要である。
【０００７】
この文脈において、考慮すべきことは、患者が手術室から、例えば、監視ステーションまたは病室へ運ばれた際に、患者の測定装置は通常患者の上に存在するが、監視ユニットは、通常それぞれの部屋、すなわち、手術室、監視室または患者の病室に固定されたままである、ということである。つまり、送信機および受信機は、様々な遠隔ステーションと協力できなければならず、如何なる状況の下でも混乱があってはならない。
【０００８】
患者の安全性を高めるためには、１つの接続が遮断された場合に無線リンクの状態を連続して監視し、信号を出すことも必要である。患者の測定装置の監視についても同様である。信号伝送の短い乱れがあったとしても、目に見える影響があってはならない。加えて、システム全体が、分かりやすく、運転し易いものでなければならない。更なる要件は、以下の記述の中で見出せよう。
【課題を解決するための手段】
【０００９】
したがって、本発明の１つの目的は、これまでの一般的なタイプの公知の装置の上に述べたような欠点を克服し、安全に、例えば、１つの手術室、集中治療室または監視病棟内のような特別に差し迫った使用時にも誤動作しない１つの患者監視装置を提供することである。
【００１０】
前述の目的および他の目的のために、本発明において、１つの患者監視装置が提供される。本装置は、１つの識別コードを入力するための１つの入力装置を有する１つの受信ユニットおよび１つの入力識別コードを記憶するためのメモリを備える。一人の患者のための１つの送信ユニットは、１つの独自の認識コードを記憶し、測定データを１つの無線リンクを介して受信ユニットへ送信する。患者用の１つ以上の変換器が、送信ユニットに接続される。送信ユニットおよび受信ユニットは、送信ユニットと受信ユニットが同一の識別コードを有する場合にのみ接続される１つの接続を両者間に有する。
【００１１】
本発明の基になる基本原理は、各患者の送信ユニットは、１つの明瞭な、または独自の個別の識別コードを割り当てられており、その受信ユニットは、患者から離れたところにあって、この識別コードが入力されたときにのみ１つの無線リンクを受信することである。１つの接続がドロップした後、識別コードは、患者から離間した受信ユニットに再入力される必要がある。一例として、１つの接続は患者の送信ユニットが物理的に、１０ｍ台である無線リンクの範囲から除去されたときにもドロップする。したがって、もし患者が測定装置を装備していて、送信ユニットが、例えば手術室から除去されると、そのときには、無線リンクから自動的にドロップする。もし一人の新患者が対応する測定装置を装備していて、１つの送信ユニットがそのとき手術室に運び込まれると、固定された受信ユニットへの無線リンクは、新しい送信ユニット用の新しい認識コードが受信ユニットへ入力されるまでは、接続されない。
【００１２】
また当然可能なのは、積極的に１つのキーを送信ユニットおよび／または受信ユニットに操作することによって無線リンクを終結させることである。
【００１３】
送信のセキュリティを増すためには、患者の測定データは送信ユニットの１つのバッファ・メモリ中にバッファ記憶され、所定の時間間隔で１つのデータ・パケットとして送信される。対応するバッファリングは、受信機中に準備され得る。無線リンク上に短い擾乱が有る場合、受信機は１つの適切なデータ・パケットの送信をリクエストできる。データ・パケットは、例えば、好ましくは”スリップ・フレーム”の形態で、毎１００ｍｓに送信可能であり、それは受信機中でアンパックされ、データ・バッファ中にバッファ記憶される。
【００１４】
二度送信される全く同一のデータ・パケットに対する、および受信機中で互いに比較されそれらが同一であるときのみ有効と考えられる２つの連続したデータ・パケットに対する対策も可能である。もしそれらが同一でなければ、そのときは、１つのデータ送信がリクエストされる。データ送信における１つの合成遅延は、数１００ｍｓ（最大５００ｍｓ）のオーダであり、監視される患者データに対して問題にならない。患者の装置に対する電力供給は、要求の移動度に応じて複数の電池または複数の充電電池で供給される。患者の送信ユニットは、連続的に電池または充電電池の充電状態を監視し、それを送信ユニットに指示する。加えて、これらのデータはまた、受信ユニットに送信される。そこでそれらは同様に指示される。
【００１５】
送信電力は、送信のないときには、患者送信ユニットの電力消費を最小化するために遮断できる。
【００１６】
本発明は、多くの利点を達成し、１つの要約は次のものを備える。
【００１７】
手術室中の無線リンクによって、医療スタッフの作業半径を制限したり、または混乱を生じさせたりするケーブルの分離が回避される。ケーブルが複数の患者および複数のユーザにつまずきまたはからみつきのために惹き起こす、安全リスクを生じない。損傷、不正取り付け、不正取扱、磨耗または腐食の結果、生ずるケーブルまたはプラグ・コネクタの機能的故障が回避できる。医療スタッフの混乱、取り違えおよび妨害を伴う複数のケーブルの１つのもつれは、もはや発生しない。患者と評価ユニットとの間の距離および位置は、無線リンクの範囲によってのみ制限されるだけである。加えて、複数の故障ケーブルに起因してしばしば起きるコストが避けられる。
【００１８】
送信機と受信機との間の明確な関係によって、かつ多チャンネル測定パスの場合においても、例えば１つの血圧計センサのようなそれぞれの測定装置とモニタのような監視装置の対応する受信チャンネルとの間の明確な関係によって、さもなければ不正配線の結果として起きる混乱を回避できる。この場合、運転および構造は、著しく単純化される。加えて、接続は混乱なく安全に動作する。しかし、それは送信エリアを離れると自動的にドロップし、再び自動的には回復しない。ユーザにとって、接続をドロップさせることはいつでも可能である。電磁（無線）波の使用にもかかわらず、送信電力が極度に低いので、患者またはスタッフに無害であり、かつ他の電子装置が妨害されない。
【００１９】
本発明の特徴として考慮される他の特性は、添付の特許請求の範囲において言及される。
【００２０】
本発明は、１つの患者監視装置に具現化されたものとして図示し、記述してきたが、本発明が示された詳細によって限定されるものではない。何故なら、本発明の精神を逸脱することなく、請求範囲の等価範囲の中で、様々な変更と構造変化が可能であるからである。
【００２１】
しかしならが本発明の構造および運転の方法は、その追加的な目的と利点と共に、特定の複数の実施例の次の記述を添付の図面と組み合わせて読めば、最もよく理解されるであろう。
【発明を実施するための最良の形態】
【００２２】
以下、詳細図面の図を参照する。先ずは、図１を参照すると、患者監視装置の１つの基礎的構造が示されている。該患者監視装置は、１つの送信ユニットまたは送信機１、１つの受信ユニット、または受信機２および評価ユニット２に接続された１つの評価ユニット３を有する。送信ユニット１および受信ユニット２は、１つの双方向無線リンク４を使って互いに接続されている。この状況において、双方向の意味するところは、データは送信ユニット１から受信ユニット２へ、および受信ユニット２から送信ユニット１への双方向に送信できるということである。この場合、送信ユニットおよび受信ユニットなる用語は、これらが測定データの送信に関係しているために選ばれている。
【００２３】
送信ユニット１は、送信ユニット１に取り付けられて複数の接続線１２を使って一人の患者に接続される１つ以上の変換器１１を有する。変換器１１は、一例として、線１２を使って、一本の静脈または動脈のような一人の患者の血管に接続された複数の圧力変換器であり得る。これらの圧力変換器は、１つの流体圧力を１つの電気信号に変換する。これはデータ処理の後、以下に述べるとおり、１つのアンテナ１３（１つのハウジングにまたは１つのボード上に固定され、外からは見えない）および無線リンク４を介して、送信ユニット１から、受信ユニット２上の１つのアンテナ２３に送信される。
【００２４】
自明のとおり、変換器１１は、送信ユニット１上に取り付けられ、プラグを使って相互接続されるのが好ましい。このことは、変換器１１上の本質的に知れている複数の電気接点および送信ユニット１上の複数の咬合接点、または短い複数の電気ケーブルを使うことによる他の手段によってなされる。
【００２５】
送信ユニット１は、複数の発光ダイオード（ＬＥＤ）の形態をとるのが好ましい指示灯１４、ならびに、以下に論じる複数のキーを有する。送信ユニット１は、１つの充電電池の形態をとるのが好ましい、１つの電圧供給源１６を有する。送信機ユニット１は、１つのサポート１７に固定されている。これは、例えば、患者のベッドの上を備える患者の近傍に送信ユニットを固定または据付けられる１つの支持棒または任意の他の固定装置でもよい。
【００２６】
無線リンク４を介して送信される信号は、”ブルートゥース・プロトコル”に基づいて送信されるが、これは当初説明したとおりである。この文脈において、範囲は約１０ｍであり、２つのアンテナ１３および２３の間には直線的な”見通し”は要求されない。
アンテナは、このため、互いの方向を指向する必要はない。むしろ、これらは全方位的に放射および受信する。
【００２７】
受信ユニット２は、それに固定された入力装置２１を有する。これは、最も単純な場合には、１つの数字キーボード、１つのバーコード、１つの磁気カード・リーダ、または１つのＰＩＮを入力するための任意の装置である。入力装置２１は、さらに、１つの拡張された英数字キーパッドでもよい。加えて、１つのディスプレイ２２は、受信ユニット２上に取り付けられている。さらに、１つ以上の発光ダイオード２４および複数の電気的キー２５が設けられている。受信ユニット用の電力供給は、１つの外部充電電池２６および／または１つの主ケーブル２９の使用を通して提供される。電力が主ケーブルを介して供給されるときには、充電電池２６は、緊急電力供給用の１つのバッファとして働く。
【００２８】
受信ユニット２は、１つの支持棒のような１つのサポート上に固定できる。受信ユニット２は、通常、固定式であるから、代替的に、１つの壁に固定することができ、または１つのテーブル上に設定することもできる。加えて、受信ユニットは、特定の動作状態に対して１つの可聴警報を発生しうる１つの可聴信号送信機２８を持っている。
【００２９】
受信ユニット２は、すべての送信される患者データのような１つのコンピュータのような１つの従来型のモニタまたは他の１つのさらに複雑な装置である、評価または監視ユニット３に接続されている。評価ユニット３は、通常、１つの主ケーブル３１を使って主電源からの電力を供給される。評価ユニット３は、例えば、１つの記録デスクである１つのサポート３２上に固定できる。
【００３０】
図２は、送信ユニット１および受信ユニット２の１つのブロック図を示す。送信ユニット１は、送信ユニット１に接続された１つ以上の変換器１１を有する。送信ユニット１の中心部品は、１つのマイクロコントローラ１０であり、これは変換器１１からの電気信号を１つの整合回路３４および１つのアナログ／ディジタル変換器３５を介して受信する。１つの入力装置２１’の形式中の１つの入力は、マイクロコントローラ１０に接続される。マイクロコントローラ１０は、１つの関連メモリ１８を有し、それは中でも、各送信ユニット１に個別に、混同のないように、割り当てられている１つの明確な識別コード（以後、ＰＩＮと呼ぶ）を備える。加えて、メモリ１８は、マイクロコントローラ１０中のフロー制御のための１つのプログラムを記憶する。最後に、メモリ１８はまた、１つのデータ・バッファとして使われ、これは下で詳しく説明する。
【００３１】
マイクロコントローラ１０に接続された１つの”ブルートゥース・モジュール”１９は、マイクロコントローラ１０によって整えられた測定データをブルートゥース・プロトコルに変換し、それらをアンテナ１３を使って無線リンクを介して無線信号として送る。
【００３２】
例えば”試験”および”接続ドロップ”（取消）機能を引き外す、ＬＥＤ１４およびキー１５もまた、マイクロコントローラ１０に接続される。
【００３３】
外部電圧供給１６は、１つの電圧安定ユニット３６へ接続され、１つの安定電圧をブルートゥース・モジュール１９、整合化色３４およびＡ／Ｄ変換器３５に供給する。電圧安定化ユニット３６にも接続される１つの充電電池監視ユニット３７は、充電電池１６の充電状態を監視し、それをマイクロコントローラ１０に電圧安定化ユニット３６を介して規則的に報告する。
【００３４】
個々のアセンブリ間または機能的部分間の信号フローの方向は、それぞれの矢印で識別される。
【００３５】
受信ユニット２の中心部品は、同様に、１つの受信端ブルートゥース・モジュール４０に接続された１つのマイクロコントローラ２０で、アンテナ２３を介して無線リンク４に接続される。この場合も、１つのメモリ４４がマイクロコントローラ２０に接続され、同様に、１つのプログラムを含み、１つのバッファ・メモリとして働き、また、１つの識別コード（ＰＩＮ）を備える。
受信ユニット２の中心部品は、同様に、１つの受信端ブルートゥース・モジュール４０に接続された１つのマイクロコントローラ２０で、アンテナ２３を介して無線リンク４に接続される。ＰＩＮコードは、意のままに変更でき、マイクロコントローラ２０に接続される入力装置２１を使って入力できる。送信ユニット１のためのものと同じＰＩＮが受信機に入力される必要があり、これによって１つの無線リンクが、送信機と受信機との間に設定され得る。そうしてこそ、１つの接続設定が開始でき、以下にさらに詳しく説明する。上に述べたＬＥＤ２４、キー２５およびディスプレイ２２はまた、マイクロコントローラ２０に接続される。加えて、マイクロコントローラ２０に接続される１つのディジタル／アナログ変換器４１は、１つの整合回路４２を介して評価ユニットに接続される。最後に、この場合も、１つの電圧安定化回路４３が設けられて、外部供給電圧に、すなわち、充電電池２６および／または主ケーブルに接続される。この場合もまた、信号フローのそれぞれの方向は、複数の矢印により識別される。評価ユニット３と受信ユニット２との間の接続は、矢印によって示すように、双方向である。その意味するところは、一例を示すと、評価ユニット３はまた、１つのデータ・リクエストまたは警報信号のような信号を受信ユニット２へ送信する事が出来るということである。
【００３６】
図２のブロック図に関連して指摘されるのは、その図解は必ずしも分離されたアセンブリとして実施される必要のない機能的ユニットを示すことである。一例を示すと、Ａ／Ｄ変換およびＤ／Ａ変換は、マイクロプロセッサによって遂行できる。同様にして、充電電池監視ならびに電圧安定化の調整は、プログラム制御下のマイクロコントローラ１０または２０によって行われうる。
【００３７】
患者監視装置が働く様子は、図３に関連して説明する。前提とされることは、送信ユニット１および受信ユニット２は、無線リンク４の範囲内に置かれてきたことであり、両ユニットは電力供給を受けることである。
【００３８】
例えば、電源（ブロック５１）をオンすることにより、受信機はオンになり、マイクロコントローラはそのプログラムを装填されている。
【００３９】
送信機もまた同様にオンになっており（ブロック５２）、これは同様に電源、１つのスイッチ、またはその他を、１つ以上の変換器１１を接続することにより、接続することによって可能である。前述したように、送信ユニットのメモリは、１つの明確な識別コード（ＰＩＮ）を含み、それは送信機がオンになった後（ブロック５３）読まれる。このコードは、１つの数字コードの形態が好ましいが、送信ユニットに取り付けられ、これによってはっきりと見えるようになる。このコードは入力装置２１（ブロック５４）を使って手動で受信ユニットに入力される必要がある。これがなされて初めて、送信機と受信機との間に１つの接続の設定が始まる。接続設定（ブロック５５）の間、送信機は受信機として受動的な役割をにない、１つの接続リクエストが送られてくるのを待機する。
【００４０】
これには、送信機はこの局面では少ししか電力を消費しない、周波数帯域中に擾乱を生じない、活発に送信しない、という利点がある。接続設定期間の能動的な役割は、受信機（ブロック５６）によって果たされる。１つのＰＩＮが入力されると、範囲内にある複数のリモート・ステーションを探し始めるが、これは１つの”照会信号”を使ってなされる。そして、１つの起動している送信機（１つの受信機としてこのときには動作する）が見つかると、ブルートゥース・プロトコルの通常の”ペア化”が行われる。その上で、お互いのＰＩＮが交換され、接続を設定する。もし２つの送信機および受信機のＰＩＮが一致すると、接続が設定される。もしＰＩＮが一致しなければ、双方は元の役割に戻る。すなわち、送信機は、受動的に”聴き”、受信機は能動的に探す。なぜならば、１つの間違った、しかし類似の起動している送信機がコンタクトされたからである。
【００４１】
ひとたび１つの接続が成功裏に設定されると、さらなる他の複数の送信機または複数の受信機への接続設定が不能化される。
【００４２】
成功接続設定に続いて、有用なデータは送信機（ブロック５７）によって送信され、受信機（ブロック５８）によって受信される。加えて、制御データは、相互交換される（ブロック５９および６０）。制御データは、複数の擾乱報告（ブロック６１および６２）を含み得る。例えば、送信機および／または受信機上に１つの状態表示（ブロック６３および６４）とそれぞれのＬＥＤ（図２中の１４および２４）として表示される。複数の通常運転状態、例えば、充電電池ＯＫ（ブロック６４）、変換器接続、無線リンク健在など、はそこに指示する事が出来る。送信機（ブロック６５）上のキー１５を一回押すと、それぞれの変換器に対する１つの試験ルーチンは、例えば、１つの規定公称値信号（１００ｍｍ／Ｈｇが普通）をトリガすることにより、１つの圧力変換器の場合、１つの公知の方法で実行され得る。公称値信号は受信機２の中で評価され、ＬＥＤ２４および／またはモニタ３の１つの上に表示される。これによって、１つの直接接続がチェックされ得る。
【００４３】
送信機上のキー１５の１つはまた、１つの関連ＲＥＳＥＴ機能（ブロック６６）を持つ。送信機および入力装置２１または受信機上のキー２５もまた、１つのターン・オフ機能（ブロック６７および６８）を持つ。これらは、無線リンクを終了するのに使われる。これらのキーの１つが押されたとき、１つの接続は、１つのＰＩＮが再び受信機に入力されるまで、設定されない。
【００４４】
無線リンクで１つの擾乱が起きたとき、それは、状態表示器（ブロック６３および６４）および具体的にＬＥＤ１４および２４上に表示される。加えて、１つの可聴警報（図１中の信号送信機２８）がトリガできる。
【００４５】
もし無線リンク上の擾乱が１つの所定時間、例えば１０秒以上続かなければ、１つの新しい自動接続設定動作がスタートする。もし擾乱がこの時間以上続けば、そのときには、送信機および受信機は、初期化状態に戻り、１つの新しい接続設定動作は、１つのＰＩＮが受信機上に再び入力されるまでは（ブロック５４）行われない。これにより、混乱のリスクは減る。一例を示せば、例えば手術室から連れ出された患者の所為で、もし送信機が受信機範囲から除去されたら、ＰＩＮが入力された後、１つの新しい接続設定動作が同じまたは１つの異なる送信機に行われうる。
【００４６】
接続の手動遮断は、１つのターン・オフ・キー（ブロック６７および６８）または１つのＲＥＳＥＴキー（ブロック６６）を押すことによって開始され得る。これによって受信機中のＰＩＮは消える。無線リンクはまた、すべての変換器１１が送信機から断たれたときに遮断される。
【００４７】
受信機は、接続の現在状態をチェックし、接続された送信機がその充電電池の状態を常にチェックし、かつこれらはＬＥＤおよび／またはディスプレイ２２上を介して示される。加えて、ディスプレイは、不正なＰＩＮ、入力ＰＩＮなどのプレーン・テクスト・メッセージを示す。１つの変換器に１つの接続が存在するとき、この変換器の状態報告はまたプレーン・テクストで出力され得る。実際、送信機端にとって、ＬＥＤ上に充電電池状態、および複数の変換器が使用されるときに、それぞれの測定チャンネルの準備状態を表示することは十分である。充電電池状態はまた、適宜、１つの所定臨界的状態に関して、聴覚的に、例えば、１つの断続的なまたは定期的な警報音を使って信号されるべきである。
【００４８】
ＬＥＤはまた、例えば赤色および緑色を使って、複数の状態に対して、フラッシングを介して追加的に、多色ＬＥＤを使う状態を表示できる。便宜上、送信機および受信機上の状態表示器は、識別的に構成されているので、このためにユーザは異なる表示器と混乱することがない。次の状態は、ＬＥＤにより信号される。ブーツ・プロセス、レディ・モード、接続設定、接続設定不能、データ転送および充電電池ＯＫ、データ転送および充電電池臨界、一時接続擾乱、擾乱による接続ドロップ、接続不在、充電電池低調。
【００４９】
加えて、送信機は、接続可能な変換器の数に応じてその上に取り付けられるさらなるＬＥＤを持ちうる。関連のＬＥＤをオンまたはオフすることによって適切な変換器が接続されているかどうかを表示することが可能である。
【００５０】
下の記述は、１つの言語（例えば、ドイツ語、英語、フランス語、など）を選択するのに使用可能な受信機上の１つの入力装置２１によって受信機のディスプレイ上に追加的に平易なテクストでなされ得る。ブーツ・プロセス、動作準備完了、入力ＰＩＮ、接続探索、データ受信中、接続状態の情報、接続擾乱、接続ドロップ、充電電池低調、接続設定の問題、遠隔基地未定。
【００５１】
受信機上および／または送信機上の可聴信号送信機２８は、充電電池状態が臨界の場合に１つの警戒音を発生する１つのブザーでもよい。
【００５２】
多くのアプリケーションに対しては、受信機上の入力装置２１は二三の追加的なキーを備えた１つの数字キーパッドで十分である。この入力装置は、おそらくＰＩＮを訂正するために、ＰＩＮを確認するために、および言語を構成するために、ＰＩＮを入力するのに使用される。
【００５３】
ＲＥＳＥＴまたはＣＡＮＣＥＬキーは、特別のマークでハイライトし、送信機および受信機上に同時に、または１つの適正にハイライトされた位置に配置するのが好ましい。
【００５４】
ＰＩＮは、各送信機モジュールに対して規定されるのが好ましい。このＰＩＮはまた、コード形式で病院の名前を含みうる。これの意味するところは、大きな診療所においてさえ通常見出される数に対して、１つの５桁ピンは、通常十分であるということである。本発明の一変形において、送信機中に永久に記憶されたＰＩＮはまた、追加的にバーコードとして送信機のハウジング上に印刷され、この場合、受信機は、１つのバーコード・リーダをＰＩＮを入力する入力装置として有する。このことは、１つのキーパッドを使ってＰＩＮを入力するときに、起こり得るエラーを回避する。１つの代替案によれば、送信機１および受信機２の入力装置２１’および２１はまた、送信機および受信機から一対が編集される前に、送信機および受信機のＰＩＮが記憶され、それぞれに入力される１つの磁気カードまたはチップカードのそれぞれのリーダであってもよい。無線リンクが遮断されたとき、ＰＩＮは１つの所定期間（例えば、１０秒後）抹消されるので、１つの手術室に持ち込まれた送信機が、例えば受信機に記憶されているＰＩＮに整合するまだ１つの”古い”ＰＩＮを”記憶している”リスクはない。
【００５５】
無線リンク上の複数の擾乱は、原理的には、ブルートゥース・システムにより識別され、通常、無線リンクが再設定されるように促す。しかしながら、本発明は、これに対して、１つの特定期間内の複数の遮断にのみ行われるように備える。さらに長い複数の遮断においては、再び自動的にピックアップする事は出来ない。
【００５６】
複数の短い遮断の結果、受信機のＤ／Ａ変換器中にディジタル入力値で与えることによって、複数の遮断を引き起こし、引き続き、複数の変換器ステップがもはや等間隔になりえない結果がもたらされる。このために、センサ・データは、受信機のメモリ中にバッファされ、これによってデータ転送の安定性を増す。この安定性は、明らかに１つの遅延時間を増すことによりもたらされ、これが大きくなればなるほど、バッファされるデータの量も大きくなる。
【００５７】
無線リンクを介するデータ・レート（例えば、７２１キロビット／秒）は、変換器に要求されるデータ・レート（約９．６キロ）よりはるかに高いので、送信機のブルートゥース・モジュール１９は、省エネルギのために当座の間、遮断できる。送信機端ブルートゥース・モジュール１９が接続去れた後、バッファ記憶された、すなわち送信機中でバッファされた、すべての取得値は送信できる。合成遅延値は、この場合、問題外であり、例えば、２、３秒までの適当な値におさめる事が出来る。
【００５８】
血圧を測定するときには、送信機からの測定値は、１２ビットという１つの解像度を伴う２００Ｈｚの１つのサンプリング・レートで変換され、これによって、測定チャンネルごとに２４００ビット／秒の１つのデータ・レートを与える。変換されたデータは、１つの”フレーム”として梱包された１つの所定転送フォーマットでマイクロコントローラにより、複数のパケットで転送される。各データ・パケットは、連続的に分割された一連の数値を備える事が出来る。ディジタル的に変換された測定値に加えて、１つのデータ・パケットはまた、それに挿入された、例えば、充電電池状態、試験ボタン押下、認証リクエスト、認証レスポンス、擾乱およびそれぞれの送信機の識別についての制御データを有する。
【００５９】
この出願は、アメリカ合衆国法典第３５巻第１１９条に基づき、２００４年３月１０日に出願された独国特許出願第１０２００４０１２０４２．０号の優先権を主張するものである。該先行出願の全明細書が、参照によって本願に援用される。
【図面の簡単な説明】
【００６０】
【図１】患者監視用の１つの装置の１つの基礎的構造を示す１つの概要ブロック図である。
【図２】患者監視装置の１つのブロック回路図である。
【図３】接続セットアップおよびデータ送信の１つの機能的シーケンスの１つのフローチャートである。
【図１】
2005253981.tif 000003
【図２】
2005253981.tif 000004
【図３】
2005253981.tif 000005
【外国語明細書】
2005253981.tif 000006
2005253981.tif 000007
2005253981.tif 000008
2005253981.tif 000009
2005253981.tif 000010
2005253981.tif 000011
2005253981.tif 000012
2005253981.tif 000013
2005253981.tif 000014
2005253981.tif 000015
2005253981.tif 000016
2005253981.tif 000017
2005253981.tif 000018
2005253981.tif 000019
2005253981.tif 000020
2005253981.tif 000021
2005253981.tif 000022
2005253981.tif 000023
2005253981.tif 000024
2005253981.tif 000025
2005253981.tif 000026
2005253981.tif 000027
2005253981.tif 000028
2005253981.tif 000029
2005253981.tif 000030
2005253981.tif 000031
2005253981.tif 000032
2005253981.tif 000033
2005253981.tif 000034
2005253981.tif 000035
2005253981.tif 000036
2005253981.tif 000037